(57)【特許請求の範囲】
【請求項１】
直立して並べて挿入される電気的平形モジュール（３２）を保持するためのモジュールラックにおいて、
モジュールラックの正面（２０）に存在し平形モジュール（３２）が間に挿入される導電性の横レール（１、３１）と、平形モジュール（３２）に付属した導電性の正面板（５４）と、接触ばね体（１０、３８）とを備え、
この接触ばね体（１０、３８）が
横レール（１、３１）のモジュールラック正面（２０）側の端面（２１、２２）に接触ばね体（１０、３８）を設けるための保持手段（１１）と、
この保持手段（１１）に結合されモジュールラック正面（２０）の方向に曲げ起こされているばね脚（１５）を有する接触ばね（１４）とを有し、
そのばね脚（１５）が平形モジュール（３２）の正面板（５４）の、横レール（１、３１）に対して垂直に延びる背面（６０）の方向に延び、
ばね脚（１５）の変形行程（２３）が平形モジュール（３２）のモジュールラックへの挿入方向およびそこからの引き抜き方向に延びている
ことを特徴とする電気的平形モジュール用の遮蔽形モジュールラック。
【請求項２】
ばね脚（１５）が、保持手段（１１）の長縁（２８）において折り曲げられている横レール（１、３１）側の第１のばね脚端（５８）と、平形モジュール（３２）の正面板（５４）の背面（６０）に対する湾曲した接触部位（１６）に続いている第２のばね脚端（５９）とを備え、
保持手段（１１）の長縁（２８）は正面板（５４）の水平な横側短辺（５６）に対してほぼ平行に延びている
ことを特徴とする請求項１記載のモジュールラック。
【請求項３】
ばね脚（１５）が、湾曲した接触部位（１６）から横レール（１、３１）の方向に折り曲げられた接触部位延長部（１７）を有している請求項２記載のモジュールラック。
【請求項４】
接触ばね体（１０、３８）の保持手段（１１）がそれぞれＵ形に形成され、横レール（１、３１）のモジュールラック正面（２０）側の端面（２１、２２）にはめ込まれることを特徴とする請求項１乃至３の１つに記載のモジュールラック。
【請求項５】
横レール（１、３１）が平形モジュールの正面板（５４）の保持要素（３６）に係合するための横に延びる受け溝（３）を有し、Ｕ形保持手段（１１）がモジュールラックの内側に面する横に伸びる受け溝（３、３７）の境界縁（５、３９）にはめ込まれることを特徴とする請求項４記載のモジュールラック。
【請求項６】
Ｕ形保持手段（１１）が、接触ばね（１４）のばね脚（１５）が曲げ起こされている長縁（２８）を備えた支持縁（２５）を有していることを特徴とする請求項４又は５記載のモジュールラック。
【請求項７】
結合板（１３、１８）が支持縁（２５）からほぼ直角に折り曲げられ、横レール（１、３１）のモジュールラック正面（２０）側の端面（２１、２２）に接し、締付け板（１２、４２）が結合板（１３、１８）からほぼ直角に折り曲げられ、横に延びる受け溝（３、３７）の上側境界縁（５、３９）を抱き込むことを特徴とする請求項６記載のモジュールラック。
【請求項８】
接触ばね（１４）のばね脚（１５）が支持縁（２５）と結合板（１３、１８）との間の長縁（２８）において平形モジュール（３２）の正面板（５４）の背面（６０）に向けて曲げ起こされていることを特徴とする請求項７記載のモジュールラック。
【請求項９】
接触ばね体（１０、３８）のＵ形に形成された二つの保持手段（１１）がそれぞれ橋絡片（２６）を介して互いに結合され、両者間に接触ばね（１４）が配置されていることを特徴とする請求項４乃至８の１つに記載のモジュールラック。
【請求項１０】
それぞれ二つの締付け板（１３、１８）が橋絡片（２６）を介して互いに結合され、両者間に接触ばね（１４）が配置されていることを特徴とする請求項７又は８記載のモジュールラック。
【請求項１１】
曲げ起こされたばね脚（１５）に属する支持縁（２５）が一部品から成る連続した平縁を形成していることを特徴とする請求項６乃至１０の１つに記載のモジュールラック。
【請求項１２】
ハンドレバー（４３）が平形モジュール（３２）の正面板（５４）の端部に設けられ、その操作によって平形モジュール（３２）がモジュールラックから引き出すことができ、ハンドレバー（４３）が湾曲押圧面（４７）を有し、この押圧面はハンドレバー（４３）が平形モジュール（３２）をモジュールラックから引き出す操作をされた際に接触ばね体（１０、２８）に支持されその上を滑ることを特徴とする請求項１乃至１１の１つに記載のモジュールラック。
【発明の詳細な説明】
プリント回路板用のモジュールラックは通常基本構造において横レールによって互いに結合されている両側壁薄板を有している。そのモジュールラックの正面および背面はそれぞれ上下一対の横レールによって形成されている。これらの横レールにいわゆる組込み場所を形成するために対向して位置する数対の案内レールが係止されている。これらの案内レールに平形モジュールとも呼ばれるプリント回路板が直立して互いに平行に並べて挿入される。
プリント回路板は通常、プリント回路板の正面を覆い種々の表示要素、操作要素および接触要素用の保持面として使用されるいわゆる正面板を有している。直立して並べてモジュールラックの中に挿入された複数のプリント回路板の正面板はモジュールラックの正面をほぼ密閉して覆う面を形成する。
電磁遮蔽の目的でプリント回路板の正面板はまず第１に導電性材料で作られているかもしくは少なくともそのような材料で被覆されている。
ドイツ特許第３６０４８６０号明細書ないし米国特許第４６３１６４１号明細書において、モジュールラックの正面において垂直に並んで位置する正面板を耐高周波性に遮蔽するための装置が知られている。正面板は垂直な接触ばね体を介して互いに導電的に結合されている。これによってモジュールラックの正面にある垂直溝が電磁妨害雑音の侵入ないし放射に対して密封される。
この電磁密封の場合、各正面板の上下の短辺において問題が生ずる。即ち通常その場所には、モジュールラックの上下の横レールの正面にある横方向に延びる受け溝の中に挿入された例えばねじ孔付きレールに正面板をねじ結合する取付けねじが存在している。各正面板の端部とモジュールラックの枠との間の導電接続部がその取付けねじおよび横レールによって形成される。それにもかかわらずこの接続部は点状をしており、各正面板の全幅にわたって延びていない。特にモジュールラックの内部の標準的組込み場所より大きな容積を占める平形モジュールの幅広い正面板の場合、正面板とその上下端において後ろに在るモジュールラックの横レールとの間のそのような点状の導電接続は、確実な電磁遮蔽にとって不十分である。
同じ問題は例えばモジュールラックの背面における覆い板においても生ずる。この覆い板も通常モジュールラックの背面の上部および下部において延びる横レールにねじを介して点状でしか結合されていない。
このために（未公開の）ドイツ特許第１９５２３２５７号明細書により、モジュールの金属製あるいは金属化された正面板が板ばねを介して前方形材レールに導電的に接続されているモジュールラックが知られている。その板ばねは形材レールの溝を形成する脚部に固定される固定部品を有している。板ばね自体は弾性部品であり、これによって挿入された状態において正面板と形材レールとの電気的接触が形成される。
ドイツ実用新案登録第２９６１８６２５号明細書により別の遮蔽形モジュールラックが知られている。そのモジュールレールはその支持面の後ろにそれぞれ上下の係合溝を有している。支持面にスナップ結合される帯状接触ばねが設けられ、この帯状接触ばねは支持面の後ろに引っ掛かることによって係止溝の中に弾力的に係止される。帯状接触ばねはモジュールラックの正面に弾力的に向いた多数の窓開口並びに支持面に向いた多数の接触爪を有している。
公知の遮蔽形モジュールラックの帯状接触ばねの場合、特に正面板の支持だけに起因しない押圧力が帯状接触ばねに与えられるとき、恐らく摩耗に基づいて生ずる損傷を完全に防止することはできない。モジュールをモジュールラックから少なくとも取り出し操作するために、特にモジュールの正面板の長辺端にハンドレバーが設けられているとき、点状の大きな曲げ力が帯状接触ばねに与えられる。
本発明の課題は、特に挿入された平形モジュールの正面板および背面覆い板のような平形構成要素とモジュールラックの正面及び／又は背面における上下の横レールとの電磁的接触を、設置された接触ばね体が常に正面板の背面を介して大きな面積で与えられる押圧力でしか負荷されないときでも、保証するように、モジュールラックを改良することにある。
この課題は、本発明によれば、直立して並べて挿入される電気的平形モジュールを保持するためのモジュールラックにおいて、
モジュールラックの正面に存在し平形モジュールが間に挿入される導電性の横レールと、平形モジュールに付属した導電性の正面板と、接触ばね体とを備え、
この接触ばね体が、横レールのモジュールラック正面側の端面に接触ばね体を設けるための保持手段と、この保持手段に結合されモジュールラック正面の方向に曲げ起こされているばね脚を有する接触ばねとを有し、
そのばね脚が平形モジュールの正面板の、横レールに対して垂直に延びる背面の方向に延び、
ばね脚の変形行程が平形モジュールのモジュールラックへの挿入方向およびそこからの引き抜き方向に延びていることによって解決される。
本発明の有利な実施態様は従属請求項に記載されている。
以下図に示した実施例を参照して本発明を詳細に説明する。
図１は平形モジュールの正面要素の第１の実施例と横レールの範囲における正面要素の端部の本発明に基づいて形成された電磁遮蔽蔽部とを備えたモジュールラックの一例の断面図、
図２は図１における正面要素の正面図、
図３は本発明に基づくモジュールラックに使用される平形モジュールの正面要素の第２の実施例の側面図、
図４は本発明に基づく接触ばね体の有利な実施例の断面図、
図５は下側横レールの範囲における本発明に基づくモジュールラックの断面図、
図６は図５の実施例における本発明に基づくモジュールラックの下側横レールの斜視図、
図７は図６の本発明に基づく接触ばね体の一部斜視図、
図８ａは正面要素の下端にハンドレバーが設けられ、そのモジュールが完全にモジュールラックの中に挿入されている状態の下側横レールの範囲におけるモジュールラックの側面図、
図８ｂはその電気的平形モジュールがハンドレバーの操作によって既に少なくとも部分的にモジュールラックから引き出されている状態の図８ａに相当する側面図、
図８ｃはその電気的平形モジュールがハンドレバーの操作によって完全にモジュールラックから引き出されている状態の図８ａ、図８ｂに相当する側面図である。
図１には特に直立して互いに並べて挿入される電気的平形モジュールを保持するために使われるモジュールラックの正面２０の範囲が断面図で示されている。この平形モジュールは一般に電気部品が実装されているプリント回路板である。モジュールラックは下側横レール１を有している。この下側横レール１はモジュールラックの正面２０の下端に配置されている。正面２０の上端には対応した上側横レール３１が存在している。これらの両横レールは導電性材料で作られているか少なくともそのような材料で被覆されている。これらの横レール間において電気的平形モジュールは好適には直立して互いに並べてモジュールラックの中に挿入される。
更にモジュールラックの図１に示されていない背面にも同様の横レールが配置され、また対応した追加的な横レールをモジュールラックの正面および背面の内側にいわゆる水平中央横レールの形で配置することもできる。これによってモジュールラックの全構造高さが低くできるので、背の低いプリント回路板もモジュールラックの中に挿入できる。
図１にはモジュールラック内に既に部分的に挿入された平形モジュール３２の正面要素２９が側面図で示されている。この正面要素２９も同様に導電性材料で作られているか少なくともそのような材料で被覆されている。図示の実施例において正面要素２９はコーナ組立部材３５、５７を介して平形モジュール３２に結合されている正面板５４を有している。破線矢印２４は電気的平形モジュール３２のモジュールラックへの挿入方向を示し、矢印４８はその引き抜き方向を示している。各横レール１、３１のモジュールラック内部側にはそれぞれ挿入方向２４に延びて案内レール３３、３４が設けられている。これらの案内レールは平形モジュール３２の縁が係合してこれが挿入および引き抜きの際にそれに沿って滑る溝を有している。
本発明に基づいていまや少なくとも一つの接触ばね体が設けられている。図１の実施例において下側接触ばね体１０および同様に構成された上側接触ばね体３８が設けられている。次に本発明に基づく接触ばね体の構成を図１の下側接触ばね体１０を例に説明する。この下側接触ばね体１０はこれを下側横レール１のモジュールラック正面２０側の端面２１に取り付けるために使用される保持手段１１を有している。その接触ばね体１０および下側横レール１は互いに導電的に接触されている。接触ばね体３８も上側横レール３１のモジュールラック正面２０側の端面２２に設けられている。
本発明に基づいて接触ばね体１０は少なくとも一つの接触ばね１４を有している。この接触ばね１４は保持手段１１に結合されモジュールラック正面２０の方向に曲げ起こされたばね脚１５を有している。詳しくはそのばね脚１５はほぼ平形モジュール３２の正面要素２９の正面板５４の好適には垂直に延びる背面６０に向かって延び、ばね脚１５の変形行程２３はほぼ平形モジュール３２のモジュールラックへの挿入方向２４およびそこからの引き抜き方向４８に延びるようにされている。
電気的平形モジュール３２は完全に挿入された状態において上下の横レール１、３１の端面２１、２２に接している。このようにして互いに並んで位置してモジュールラックの中に挿入された電気的平形モジュールの正面要素は全幅にわたって中断なしに連続してそれぞれの後ろに存在する横レールに導電的に接触される。これによって横レールにおける正面要素の上下端の範囲でもモジュールラックの電磁遮蔽が達成される。
本発明に基づいて接触ばね体によってこの遮蔽を行うことは、ばね脚が効果的に曲げ起こされていることによって、平形モジュール３２の正面要素２９の正面板５４の背面６０による面圧力が作用する場合にも、ばね脚が損傷ないし破損することがないという利点を有する。むしろそのような接触ばね体は例えば横レール１、３１の端面２１、２２に支持されるハンドレバーによって平形モジュールを取り外す際に生ずる圧縮力も永続的に補償できる。以下これについてより詳細に説明する。
図２には図１の実施例における正面要素２９の一例が正面図で示されている。既に述べたようにこの正面要素２９は、好適には垂直に延びる２つの長辺５５と横レール１、３１に対して平行に延びる２つの横側短辺５６とを備えた細長い正面板５４を有している。正面要素２９は更に正面板５４の背面６０並びに電気的平形モジュール３２のコーナに結合されている上下のコーナ組立部材３５、５７を有している。図２において正面板５４の後ろに位置するこれらの部品は点線で示されている。更にまた図示されていない横レールの端面上に載っている上下の接触ばね体１０、３８の一部が示されている。また接触ばね体１０の、正面板５４の背面６０に接触している部分も破線で示されている。
図３には本発明に基づくモジュールラックに使用される平形モジュール３２の正面要素２９の第２の実施例が側面図で示されている。この正面要素２９は補助ハンドレバー４３を有し、これらのハンドレバー４３は正面板５４の長辺端９における横側短辺５６の範囲に設けられている。図示の実施例においてコーナ組立部材３５、５７はこれらが軸受ピン４５を介して回転可能に支持されているハンドレバー４３を保持するためにも使用されるように形成されている。コーナ組立部材３５、５７は更に保持ボルト３６が挿入される孔２７を有している。
図３におけるハンドレバー４３は人によって操作される少なくとも一つの握り片４４および軸受ピン４５の反対側における支持脚４６を有している。この支持脚４６はモジュールラック側の内側面に形成されている少なくとも一つの湾曲押圧面４７を利用することができる。例えば下側ハンドレバー４３が平形モジュール３２をモジュールラックから取り出すために下向きに押されたとき、その支持脚４６は後ろに位置する横レールおよびその上にある接触ばね体１０に支持される。この接触ばね体１０が本発明に基づいて有利に形成されていることにより、押圧面４７は接触ばね体１０上をこれを破損することなしに滑る。接触ばね体１０は平形モジュールが挿入された状態においてそれぞれのコーナ組立部材３５、５７の内側面に導電的に接触している。後でこれを図６ａ、図６ｂおよび図６ｃを参照して一層詳細に説明する。
図４には、少なくとも一つの保持手段１１と少なくとも一つの接触ばね１４とから成る本発明に基づく接触ばね体１０の有利な実施例が断面図で示されている。本発明に基づいてばね脚１５はほぼ平形モジュールの正面要素２９の正面板５４の好適には垂直に延びる背面６０の方向に延びている。これは図４に一点鎖線矢印６０によって記号的に示されている。本発明に基づいて図４に示されているばね脚１５の変形行程２３はほぼ平形モジュールのモジュールラックへの挿入方向２４およびそこからの抜き抜き方向４８に延びている。ばね変形行程２３およびモジュールの挿入方向２４および引き抜き方向４８は図４に同様に一点鎖線矢印で示されている。
本発明に基づくばね脚１５の図４に示されている有利な実施例は、保持手段が取り付けられるモジュールラックの横レール側の第１のばね脚端５８を有している。このばね脚端５８は長縁２８において保持手段１１から折り曲げられている。この長縁２８は正面要素２９の正面板５４の横側短辺５６に対してほぼ平行に、ないしは保持手段１１に結合されている横レール、例えば図１における横レール１に対してほぼ平行に延びている。図４に示されているばね脚１５の有利な実施例は更に横レール１から曲げ起こされた第２のばね脚端５９を有し、このばね脚端５９は湾曲した接触部位１６に続いている。この接触部位１６はプリント回路板が挿入された状態において平形モジュール３２の正面要素２９の正面板５４の背面６０に導電的に接する。ばね脚１５が補助的に接触部位延長部１７を有していると有利であり、この接触部位延長部１７は湾曲した接触部位１６からモジュールラックの横レール、例えば図１における横レール１の方向に曲げられている。
好適には接触ばね体の保持手段１１はそれぞれＵ形に形成され、これによって有利に横レールの、モジュールラック正面２０側の端面にはめ込める。以下これについて図５の例で詳細に説明する。図４に示されている接触ばね体１０の有利な実施例において、Ｕ形の保持手段１１は長縁２８を備えた少なくとも一つの支持縁２５を有し、これによって接触ばね１４のばね脚１５は好適には一方のばね脚端５８において曲げ起こされている。接触ばね体はモジュールラックの横レールの方向に延びている少なくとも支持縁２５を介してその横レールに例えば接着によって結合されている。
図４に既に示されている本発明の異なった実施例において、保持手段と横レールとの結合が専ら機械式に例えばかしめによって行われる場合、補助的に少なくとも一つの結合板１３が支持縁２５からほぼ垂直に折り曲げられていることが有利である。その結合板１３は横レール１のモジュールラック正面２０側の端面２１に接する。横レールを抱き込む少なくとも一つの補助的な締付け板１２が結合板１３からほぼ垂直に折り曲げられている。
図５には本発明に基づくモジュールラックの下側横レール１の範囲が断面図で示されている。図示の実施例において下側横レール１は横に延びモジュールラックの正面２０に向いて開いている受け溝３を有している。この受け溝３の中に平形モジュールの正面要素２９の保持要素がはまり込み、例えば図３に示されている正面要素２９の正面板５４における孔２７を貫通して挿入される保持ボルト３６がはまり込む。この受け溝３は横断面形においてモジュールラック正面２０に向いて開いている前方の狭められた挿入部位６を有していると有利である。その溝底の方向に中央の拡大された受け溝部位７が続いており、この中に例えばねじ孔付きレールが挿入される。分かり易くするために図５にはねじ孔付きレールは図示されていない。受け溝３は例えば後方の狭められたバランス部位８で終えている。このバランス部位８は完全にねじ込まれた保持ボルトのボルト先端を収容するために使用される。
図５に示されている実施例において、横に延びる受け溝３は従って下側境界縁４および上側境界縁５によって画成されている。これによって平形モジュールをモジュールラックの中に矢印２４の方向に完全に挿入した後、正面要素２９は横に延びる受け溝３の上下の境界縁４、５の端面２１、２２に接する。図５に示されている実施例において、接触ばね体１０の好適にＵ形に形成された保持手段１１は有利に、モジュールラックの内側に面した下側横レール１の横に延びる受け溝３の境界縁５の端面２２上にはめ込まれる。従って接触ばね１４は、図５に一点鎖線矢印２３で概略的に示されているように、上側境界縁５の端面２２に向いて押される。その接触を向上させるために、端面２２は連続しておらず、ばね脚１５の接触部位１６の後ろに凹所４１を有していると有利である。ばね脚１５は正面要素２９の正面板５４の背面６０によって、図５において垂直に立っている結合板１３と正面要素２９の正面板５４の背面６０との導電的な接触が生ずるまで押し入れられる。最終的に締付け作用および保持安定性を向上させるために、上側境界縁５の、モジュールラックの内側に面した表面にも凹所４０が存在し、この凹所４０でＵ形の保持手段１０の締付け板１２が摩擦結合によって支持されると有利である。
図６に図５の実施例における本発明に基づくモジュールラックの下側横レールが斜視図で示されている。本発明に基づいて接触ばね体１０の接触ばね１４は、その変形行程が電気的平形モジュールのモジュールラックへの挿入行程に対してほぼ平行に延びているように形成されている。その場合、接触ばね１４の、上側境界縁５の端面２２に向けられたばね変形行程は、電気的平形モジュールのモジュールラックへの挿入行程に対してほぼ平行に延びている。この実施例は特に、正面要素を接触ばね体１０に向けて押し込める際に全く横力が与えられないという利点を有する。むしろ接触ばね体１０はただ上側境界縁５の本体およびその下側にある端面２２に垂直に向けられた力でしか負荷されない。これによって接触ばね１４および特にそのばね脚１５の不可逆的な曲がりの発生が防止される。
本発明の他の実施形態において、図６における接触ばね体１０は個々の同一に構成されたばね要素から成っている。図６には４個のばね要素４９、５０、５１、５２が部分的に例示されている。それらの各ばね要素は少なくとも一つの保持手段１１および接触ばね１４を有している。その保持手段は好適にはＵ形に形成され、支持縁２５、垂直の結合板１３および締付け板１２から成っている。これらの要素２５、１３、１２は互いにほぼ直角に結合されている。図６に既に示されている別の実施形態において、押し広げられる接触ばね１４に付属する支持縁２５は、横レール１の全長に沿って上側境界縁５の内側面に接する一部品からなる連続した平縁を形成している。
図７に図６における本発明に基づく接触ばね体の有利な実施例が斜視図で示されている。図７の実施例において好適には連続した支持縁２５は上側境界縁５の受け溝３側の内側面に接している。支持縁２５からほぼ直角の結合板が折り曲げられている。図７の斜視図において、これは符号１３、１８を付され、上側境界縁５の端面２２に接している。結合板１３、１８から更にほぼ直角に締付け板１２が折り曲げられ、この締付け板１２は図７において上側境界縁５の外側面に接している。これによって支持縁２５、結合板１３、１８および締付け板１２によってＵ形の締付け範囲が形成されている。その場合、接触ばね１４は連続した支持縁２５と結合板１３、１８との間の長縁２８においてモジュールラックの正面２０ないし背面に向けて曲げ起こされている。
図７の実施例において、そこに図示されている接触ばね要素４９にはそれぞれ有利に互いに隣接する二つの結合板１３、１８が付属し、これらは互いに橋絡片２６を介してＵ形に結合されている。それぞれの接触ばね１４は互いに結合された結合板１３、１８間の空間内に配置されている。ばね脚１５と好適には連続した支持縁２５との間の弾性長縁２８は好適には橋絡片２６に対向して位置している。接触ばね１４は更に有利に支持縁２５から曲げ起こされたばね脚１５を有し、このばね脚１５は十分な接触面１６を形成するために折り曲げられた接触部位延長部１７に移行している。これは接触ばねがそれに接する正面板によって押された際に橋絡片２６を介して互いに結合されている隣接する二つの結合板１３、１８間の範囲に位置される。
図７には、接触ばね１４が入り込むために使われる図５の実施例において述べた上側境界縁５の端面２２における第２の凹所４１と、締付け板１２の支持のために使われる上側境界縁５の上側面における第１の凹所４０とが示されている。締付け板４２ないしは橋絡片２６の壁から、鋸歯状の係止要素１９が切り起こされ、上側境界縁５の上側面に向けて押し曲げられている。これによって好適にはＵ形の保持要素１０とそれによってつかまれる上側境界縁５との間の締付け作用が向上される。
最後に図８ａにはモジュールラックの下側横レール１の範囲が側面図で示され、平形モジュール３２は完全にモジュールラックの中に挿入されている。図示の実施例において、平形モジュール３２の正面要素２９は下端９にハンドレバー４３を有し、このハンドレバー４３の操作によって平形モジュール３２は少なくともモジュールラックから取り外せる。ハンドレバー４３は少なくとも一つの握り片４４を有し、これによって軸受ピン４５によって形成されている回転軸を中心として支持脚４６が揺動できる。ハンドレバー４３および正面要素２９の正面板５４はコーナ組立部材３５を介して互いに結合されている。平形モジュール３２が図８ａに示されている完全に挿入された状態において、例えば正面要素２９のコーナ組立部材３５の内側面が接触ばね体１０に導電的に接している。本発明に基づいてハンドレバー４３は少なくとも一つの湾曲押圧面４７を有し、この押圧面はハンドレバー４３が平形モジュール３２をモジュールラックから引き出し操作された際に下側横レール１およびそれに設けられた接触ばね体１０に支持され、その上を滑る。
図８ｂには図８ａに対応した側面図が示され、電気的平形モジュール３２はハンドレバー４３の操作によって既に少なくとも部分的にモジュールラックから引き出されている。そのためにハンドレバーは下向きに押され、図８ｂに示されている位置を取っている。押圧面４７の支持および滑動によって電気的平形モジュール３２は一点鎖線矢印４８の方向にモジュールラックから出される。本発明に基づくモジュールラックの接触ばね体１０の特に有利な形成に基づいて、これはそのような引き出し過程によって全く変形されないか損傷されない。図８ｃには図８ａ、図８ｂに対応した側面図が示され、その電気的平形モジュールはハンドレバーの操作によってモジュールラックから完全に引き出されている。接触ばね１４のばね脚１５は完全に広げられた無負荷状態を取っている。
【図１】
0003695540.tif 000002
【図２】
0003695540.tif 000003
【図３】
0003695540.tif 000004
【図４】
0003695540.tif 000005
【図５】
0003695540.tif 000006
【図６】
0003695540.tif 000007
【図７】
0003695540.tif 000008
【図８ａ】
0003695540.tif 000009
【図８ｂ】
0003695540.tif 000010
【図８ｃ】
0003695540.tif 000011